(57)【特許請求の範囲】
【請求項１】
指針を駆動するムーブメントと、文字板を駆動する文字板駆動機構とを備え、
前記文字板は、複数の角柱を列設してなるものであり、
前記ムーブメントは、前記文字板の後方に配置するとともに、前記指針を支持する指針パイプを前記角柱の隙間から前記文字板の前方に延出してなるものであり、
前記文字板駆動機構は、前記複数の角柱を回転して前記文字板の形態を変化させるとともに、前記角柱の回転軸を前記指針パイプから離れる方向に移動するものであり、前記回転軸を移動することにより、前記角柱の回転時における前記角柱と前記指針パイプとの緩衝を回避するようにしたことを特徴とする時計装置。
【発明の詳細な説明】
【技術分野】
【０００１】
本発明は、装飾性を向上してなる時計装置に関する。
【背景技術】
【０００２】
壁掛け時計や置き時計は、装飾性に優れたものが好まれる傾向にある。装飾性を向上する構成としては、複数の角柱を列設して文字板となし、それらの角柱を回転させることによって文字板の形態を変化させる構成が提案されている。特許文献１及び２には、この種の時計装置が開示されている。
【特許文献１】実開昭６２−１６０３９０号公報
【特許文献２】意匠登録第９２４４８４号公報
【発明の開示】
【発明が解決しようとする課題】
【０００３】
さて、指針を駆動するムーブメントは、文字板の後方に設けられ、その文字板に指針パイプを貫通する構成となっている。ここで、前述したように複数の角柱を列設してなる文字板の場合は、角柱の回転時における角柱と指針パイプとの緩衝を回避する必要がある。特許文献１に開示されたものは、角柱の１つを回転軸の軸方向に分割し、その隙間に指針パイプを配置した構成となっている。また、特許文献２に開示されたものは、指針パイプの周囲には角柱が配置されていない。すなわち、従来のものにおいては、緩衝を回避するために文字板の設計の自由度が制約されてしまうという不都合があり、より奇抜で大胆なデザインを得るためには、更なる工夫が必要である。本発明は、かかる事情に鑑みてなされたものであり、その目的は、装飾性を向上すべく文字板の動きをより合理的に構成してなる時計装置を提供することである。
【課題を解決するための手段】
【０００４】
本願第１請求項に記載した発明は、指針を駆動するムーブメントと、文字板を駆動する文字板駆動機構とを備え、前記文字板は、複数の角柱を列設してなるものであり、前記ムーブメントは、前記文字板の後方に配置するとともに、前記指針を支持する指針パイプを前記角柱の隙間から前記文字板の前方に延出してなるものであり、前記文字板駆動機構は、前記複数の角柱を回転して前記文字板の形態を変化させるとともに、前記角柱の回転軸を前記指針パイプから離れる方向に移動するものであり、前記回転軸を移動することにより、前記角柱の回転時における前記角柱と前記指針パイプとの緩衝を回避するようにした構成の時計装置である。
【発明の効果】
【０００５】
本発明によれば、装飾性を向上すべく文字板の動きをより合理的に構成してなる時計装置を得ることができる。
【発明を実施するための最良の形態】
【０００６】
以下に、本発明の実施例を図面に基づいて説明する。図１乃至図６に示す本例の時計装置１は、指針２０１を駆動するムーブメント２００と、文字板３００を駆動する文字板駆動機構４００とを筐体１００の内部に配置してなるアナログ式の置き時計、又は壁掛け時計である。
【０００７】
本例の文字板３００は、複数（図例では４つ）の三角柱３１０を左右方向に列設してなるものであり、これらの三角柱３１０を水平方向に同時に回転することによって、その形態が変化する構成となっている。筐体１００の正面には、開口部１１０が設けられており、複数の三角柱３１０は、開口部１１０を介して露呈されている。複数の三角柱３１０は、それらの側面が開口部１１０に対して平行となる位置にて停止し、文字板の模様は、三角柱３１０が１２０°回転する毎にそれぞれ異なる構成となっている（図１乃至図３参照）。
【０００８】
三角柱３１０を回転するタイミングは、特に限定はしないが、本例の場合、正時になると不図示の制御手段によって文字板駆動機構４００が作動し、自動的に回転するものとなっている。あるいは、文字板駆動機構４００を作動させるスイッチを設けて、ユーザーが任意のタイミングで回転させるように構成してもよい。
【０００９】
ムーブメント２００は、文字板３００の後方に配置するとともに、指針２０１を支持する指針パイプ２１０を三角柱３１０の隙間から文字板３００の前方に延出してなるものである。指針２０１は、指針パイプ２１０の先端部に支持されており、文字板３００の正面において回転駆動する。
【００１０】
文字板駆動機構４００は、複数の三角柱３１０を回転して文字板３００の形態を変化させるとともに、三角柱３１０の回転軸３１１を指針パイプ２１０から離れる方向に移動するものである。回転軸３１１を移動することにより、三角柱３１０の回転時における三角柱３１０と指針パイプ２１０との緩衝を回避する構成となっている。すなわち、本例によると、三角柱３１０と指針パイプ２１０は、回転軸３１１を移動せずに三角柱３１０が回転すると互いに緩衝する位置関係にある。そこで、三角柱３１０と指針パイプ２１０との緩衝を回避すべく、三角柱３１０の回転軸３１１を移動して、かかる干渉を回避する構成となっている。
【００１１】
以下に、本例の文字板駆動機構４００の構成を詳述する。図５は、文字板駆動機構４００の停止時を示し、図６は、文字板駆動機構４００の駆動時を示している。この文字板駆動機構４００は、三角柱３１０の回転軸３１１をそれぞれ支持する一対の支持体４１０を筐体１００に対して左右方向にスライド移動可能に設け、これらの支持体４１０を移動する構成となっている。筐体１００には、支持体４１０をスライド移動可能に支持するレール１２０が設けられている。三角柱３１０の回転軸３１１は、支持体４１０に対し垂直に支持されている。また、一対の支持体４１０は、指針パイプ２１０に対し左右対称に設けられており、三角柱３１０の回転時には、右側の支持体４１０が右に移動し、左側の支持体４１０が左に移動する。
【００１２】
複数の三角柱３１０及び一対の支持体４１０は、駆動ギア４２０に従動する構成となっている。各回転軸３１１には、それぞれ所定数の従動ギア３１２が固定されており、駆動ギア４２０は、指針パイプ２１０を挟む中央２つの三角柱３１０の回転軸３１１に固定された従動ギア３１２に噛合されている。駆動ギア４２０は、モータ（全体は図示せず）の出力部であり、噛合された従動ギア３１２との間隔をリンク体４２１により規制されている。リンク体４２１によれば、駆動ギア４２０は、一対の支持体４１０が左右方向に移動すると、前後方向に移動する。つまり、支持体４１０が移動しても所定の従動ギア３１２との噛合状態が維持される構成となっている。また、各支持体４１０毎に、所定の従動ギアの間には、それらと互いに噛合する中間ギア４３０が設けられており、駆動ギア４２０が回転すると、複数の三角柱３１０が同時に回転する構成となっている。中間ギア４３０は、支持体４１０に対し回転可能に支持されている。
【００１３】
一対の支持体４１０は、それらを連結する弾性体４１１によって互いに接近する方向に付勢されている。また、左右両端の回転軸３１１には、所定の形状のカム体４４０がそれぞれ対称的に設けられており、各カム体４４０は、筐体１００の要所にそれぞれ設けられたカム体係合部１３０に係合されている。そして、各回転軸３１１が回転すると、それらに固定された三角柱３１０が回転するとともに、各カム体４４０が弾性体４１１を伸張しつつ一対の支持体４１０の間隔を左右方向に押し広げる。すなわち、回転軸３１１が指針パイプ２１０から離れる方向に移動することにより、三角柱３１０と指針パイプ２１０との緩衝が回避される。更に回転軸３１１が回転すると、一対の支持体４１０は、弾性体４１１の弾性力によって所定の停止位置に復帰する。
【００１４】
以上説明した本例の時計装置によると、装飾性を向上すべく文字板の動きをより合理的に構成してなる時計装置を得ることができる。尚、本例における各部の構成は、特許請求の範囲に記載した技術的範囲において適宜に設計変更が可能であり、図例説明したものに限定されないことは勿論である。例えば、本例では文字板を構成する部材として三角柱を採用したが、その他の多角柱を採用することも可能である。また、本例の文字板駆動機構は、１つの動力源にて複数の三角柱及び一対の支持体を駆動するという優れたものであるが、或は、三角柱を回転させる動力源と、支持体を駆動する動力源とをそれぞれ設けて構成することも可能である。
【産業上の利用可能性】
【００１５】
本発明の時計装置は、装飾性に優れた置き時計や壁掛け時計として好適に利用することが可能である。
【図面の簡単な説明】
【００１６】
【図１】本発明の実施例に係り、時計装置を示す正面図である。
【図２】本発明の実施例に係り、時計装置を示す正面図である。
【図３】本発明の実施例に係り、時計装置を示す正面図である。
【図４】本発明の実施例に係り、時計装置の内部を示す正面図である。
【図５】本発明の実施例に係り、時計装置（文字板駆動機構・停止時）を示す透視上面図である。
【図６】本発明の実施例に係り、時計装置（文字板駆動機構・駆動時）を示す透視上面図である。
【符号の説明】
【００１７】
１    時計装置
１００    筐体
１１０    開口部
１２０    レール
１３０    カム体係合部
２００    ムーブメント
２０１    指針
２１０    指針パイプ
３００    文字板
３１０    三角柱
３１１    回転軸
３１２    従動ギア
４００    文字板駆動機構
４１０    支持体
４１１    弾性体
４２０    駆動ギア
４２１    リンク体
４３０    中間ギア
４４０    カム体
【図１】
0004900958.tif 000002
【図２】
0004900958.tif 000003
【図３】
0004900958.tif 000004
【図４】
0004900958.tif 000005
【図５】
0004900958.tif 000006
【図６】
0004900958.tif 000007